(57)【要約】      （修正有）【課題】チラツキの低減を実現することができるＬＥＤ照明装置を提供する。【解決手段】照明装置１は、基板２と、該基板に取り付けられた複数のＬＥＤチップ３と、該ＬＥＤチップを２以上のグループに分類し、一のグループに属する前記ＬＥＤチップに、他のグループに属する前記ＬＥＤチップとは異なる駆動電圧パルスを印加する制御部４とを備える。ここで、ＬＥＤチップを２以上のグループに分類した上で、一のグループに属するＬＥＤチップに、他のグループに属するＬＥＤチップとは異なる駆動電圧パルスを印加する制御部によって、基板に取り付けられたＬＥＤチップの全体を点灯したり消灯したりすることなく調光制御を行うことができ、若しくは、基板に取り付けられたＬＥＤチップの全体を消灯する時間を短縮することができる。【選択図】図１
0003166573.tif 000002
【実用新案登録請求の範囲】
【請求項１】
基板と、
該基板に取り付けられた複数のＬＥＤチップと、
該ＬＥＤチップを２以上のグループに分類し、一のグループに属する前記ＬＥＤチップに、他のグループに属する前記ＬＥＤチップとは異なる駆動電圧パルスを印加する制御部とを備える
照明装置。
【請求項２】
前記制御部は、グループ毎に異なる駆動電圧パルスを印加すべく構成された
請求項１に記載の照明装置。
【請求項３】
前記駆動電圧パルスは、高レベル電位及び低レベル電位の２値を採り、
前記制御部は、常時、少なくともいずれか１つのグループに属する前記ＬＥＤチップに高レベル電位を印加する
請求項１または請求項２に記載の照明装置。
【請求項４】
前記グループは同数のＬＥＤチップが属している
請求項１、請求項２または請求項３に記載の照明装置。
【請求項５】
前記基板は、少なくともその一部が放熱材料によって構成されている
請求項１、請求項２、請求項３または請求項４に記載の照明装置。
【請求項６】
前記基板は、放熱構造を備えている
請求項１、請求項２、請求項３または請求項４に記載の照明装置。
【考案の詳細な説明】
【技術分野】
【０００１】
本考案は照明装置に関する。詳しくは、ＬＥＤ（Ｌｉｇｈｔ  Ｅｍｉｔｔｉｎｇ  Ｄｉｏｄｅ）を光源とした照明装置に係るものである。
【背景技術】
【０００２】
近年、地球温暖化の防止を図るために省エネルギー化が求められており、これに応えるべく照明分野においても、従来の白熱電球等に比べて高いエネルギー効率が実現可能なＬＥＤを光源に用いた照明装置が研究開発されている（例えば、特許文献１参照）。
【０００３】
ところで、ＬＥＤを用いた照明装置を、従来の白熱電球の代替として普及させようとする場合には、調光制御への対応も必要となってくる。
【０００４】
ここで、ＬＥＤを用いた照明装置の電源は、数ＫＨｚ〜数百ＫＨｚのパルス電源によって点灯しており、従来のＬＥＤを用いた照明装置では、パルス電源のパルス幅を制御することで照度の調整を行っている。即ち、照明装置に取り付けられたＬＥＤの全体を点灯したり、消灯したりすることで、照明装置の照度の調整を行っている。
【０００５】
例えば、高レベル電位（Ｈレベル電位）と低レベル電位（Ｌレベル電位）が供給される照明装置を考えると、（１）１００％の照度を得る場合にはＨレベル電位のみを印加し、（２）６６％の照度を得る場合にはＨレベル電位を２／３の期間、Ｌレベル電位を１／３の期間印加し、（３）５０％の照度を得る場合にはＨレベル電位を１／２の期間、Ｌレベル電位を１／２の期間印加し、（４）３３％の照度を得る場合にはＨレベル電位を１／３の期間、Ｌレベル電位を２／３の期間印加するといった具合である。
【０００６】
なお、ここでの説明は理解容易のために概念的な記載を行っており、ＨレベルとＬレベルと照度との相関関係が必ずしも良好な比例関係を保つとは限らない。
【先行技術文献】
【特許文献】
【０００７】
【特許文献１】特開２００８−９１１４０号公報
【考案の概要】
【考案が解決しようとする課題】
【０００８】
しかしながら、従来のＬＥＤを用いた照明装置の調光制御では、１基の照明装置に取り付けられた全てのＬＥＤチップの全点灯、全消灯が繰り返されているために、照明装置にチラツキが発生し、照明装置を使用する際の不快感の一因となっている。
【０００９】
本考案は以上の点に鑑みて創案されたものであって、チラツキを抑制することが可能な照明装置を提供することを目的とするものである。
【課題を解決するための手段】
【００１０】
上記の目的を達成するために、本考案の照明装置は、基板と、該基板に取り付けられた複数のＬＥＤチップと、該ＬＥＤチップを２以上のグループに分類し、一のグループに属する前記ＬＥＤチップに、他のグループに属する前記ＬＥＤチップとは異なる駆動電圧パルスを印加する制御部とを備える。
【００１１】
ここで、ＬＥＤチップを２以上のグループに分類した上で、一のグループに属するＬＥＤチップに、他のグループに属するＬＥＤチップとは異なる駆動電圧パルスを印加する制御部によって、基板に取り付けられたＬＥＤチップの全体を点灯したり消灯したりすることなく調光制御を行うことができ、若しくは、基板に取り付けられたＬＥＤチップの全体を消灯する時間を短縮することができる。
【００１２】
また、ＬＥＤチップを３以上のグループに分類した場合には、グループ毎に異なる駆動パルスを印加すべく制御部を構成した方が、基板に取り付けられたＬＥＤチップの全体を点灯したり消灯したりすることなく調光制御を行うことがより一層可能となり、若しくは、基板に取り付けられたＬＥＤチップの全体を消灯する時間をより一層短縮することができる。
【００１３】
更に、常時、少なくともいずれか１つのグループに属するＬＥＤチップに高レベル電位を印加すべく制御部が構成された場合には、基板に取り付けられたＬＥＤチップの全体を点灯したり消灯したりすることなく調光制御を行うことができる。
【考案の効果】
【００１４】
本考案を適用した照明装置では、チラツキを抑制することが可能であり、ＬＥＤを用いた照明装置を使用する際の不快感を低減することが可能である。
【図面の簡単な説明】
【００１５】
【図１】本考案を適用した照明装置の一例であるＬＥＤ照明装置を説明するための模式図である。
【図２】本考案を適用したＬＥＤ照明装置の照度を１／６に調光する場合の駆動電圧パルスを説明するための模式図である。
【図３】本考案を適用したＬＥＤ照明装置の照度を２／６に調光する場合の駆動電圧パルスを説明するための模式図である。
【図４】本考案を適用したＬＥＤ照明装置の照度を３／６に調光する場合の駆動電圧パルスを説明するための模式図である。
【図５】本考案を適用したＬＥＤ照明装置の照度を４／６に調光する場合の駆動電圧パルスを説明するための模式図である。
【図６】本考案を適用したＬＥＤ照明装置の照度を５／６に調光する場合の駆動電圧パルスを説明するための模式図である。
【考案を実施するための形態】
【００１６】
以下、図面を参酌しながら、考案を実施するための形態（以下、「実施の形態」と称する）について説明する。
【００１７】
［照明装置の構成］
図１は本考案を適用した照明装置の一例であるＬＥＤ照明装置を説明するための模式図であり、ここで示すＬＥＤ照明装置１は、アルミニウム材料から構成された平板状のアルミニウム基板２に、１２個のＬＥＤチップ３が取り付けられている。
【００１８】
アルミニウム基板２に取り付けられた１２個のＬＥＤチップ３は、４個を１つのグループとした３つのグループ（第１のグループＡ、第２のグループＢ、第３のグループＣ）に分類されている。
【００１９】
また、本発明を適用したＬＥＤ照明装置１は、ＬＥＤチップに印加する駆動電圧パルスを制御する制御部４を有しており、この制御部４により、第１のグループＡ、第２のグループＢ、第３のグループＣは、それぞれ異なる駆動電圧パルスが印加される様に構成されている。なお、制御部４により印加する駆動電圧パルスについては後述する。
【００２０】
ここで、ＬＥＤチップを用いた照明装置では、所望の照度を得るために、複数個のＬＥＤチップを使用する場合が多く、本実施の形態では、１２個のＬＥＤチップ３が取り付けられた場合を例に挙げて説明を行っているが、ＬＥＤチップ３の個数は１２個に限定されるものではない。
【００２１】
また、本実施の形態では、４個のＬＥＤチップ３を１つのグループとしており、各グループに属するＬＥＤチップ３の個数が同数（４個）である場合を例に挙げて説明を行っているが、必ずしも各グループに属するＬＥＤチップ３の個数が同数である必要は無い。但し、各グループに属するＬＥＤチップ３の個数が同数である方が、照度の制御が行いやすいと考えられるために、各グループに属するＬＥＤチップ３は同数である方が好ましい。
【００２２】
更に、本実施の形態では、４個のＬＥＤチップ３を１つのグループとしており、３つのグループに分類した場合を例に挙げて説明を行っているが、必ずしもグループ数は３つである必要は無い。例えば、６個のＬＥＤチップ３を１つのグループとして２つのグループに分類しても良く、３個のＬＥＤチップ３を１つのグループとして４つのグループに分類しても良い。
【００２３】
また、本実施の形態では、基板がアルミニウム材料から構成された場合を例に挙げて説明を行っているが、基板はアルミニウム材料以外から構成されていても良い。但し、基板を熱伝導率の高い材料から構成することで、放熱効果が向上し、ＬＥＤチップ３の長寿命化を実現できることとなるために、放熱材料から構成された方が好ましい。なお、放熱効果を得るための方法として、基板に放熱構造（例えば、基板内部に冷却水を循環させる）を採用しても良い。
【００２４】
［照明装置の照度調整］
図２は本考案を適用したＬＥＤ照明装置１の照度を１／６に調光する場合の駆動電圧パルスを説明するための模式図である。ここで、図２に示す駆動電圧パルスは高レベル電位（Ｈレベル電位）と低レベル電位（Ｌレベル電位）の２値を採っており、Ｈレベル電位が印加されたＬＥＤチップ３は点灯し、Ｌレベル電位が印加されたＬＥＤチップ３は消灯することとなる。
【００２５】
図２中符号Ａは第１のグループＡに属するＬＥＤチップ３に印加される駆動電圧パルスを示しており、図２中符号Ｂは第２のグループＢに属するＬＥＤチップ３に印加される駆動電圧パルスを示しており、図２中符号Ｃは第３のグループＣに属するＬＥＤチップ３に印加される駆動電圧パルスを示している。また、図２中符号ＤはＬＥＤ照明装置１の合成照度を示している。
【００２６】
ここで、各駆動電圧パルスに着目すると、１／６の期間がＨレベル電位とされ、５／６の期間がＬレベル電位とされている。また、符号Ａで示す駆動電圧パルスの立ち下がりタイミングから１／６サイクル経過後に符号Ｂで示す駆動電圧パルスが立ち上がり、符号Ｂで示す駆動電圧パルスの立ち下がりタイミングから１／６サイクル経過後に符号Ｃで示す駆動電圧パルスが立ち上がっている。
【００２７】
図２に示す駆動パルスが印加された場合には、図２中符号Ｄで示す様に、１／２の期間の合成照度が３３％であり、１／２の期間の合成照度が０％である。そのため、総合的には１６．６％の合成照度を得ることができる。
【００２８】
本考案を適用したＬＥＤ照明装置１では、照度（合成照度）を１／６に調光する場合において、従来の方式（全てのＬＥＤチップを一律にオンの状態とオフの状態を切り替える方式）と比較すると、全てのＬＥＤチップがオフとなる期間が短期間で済むために、チラツキの低減を実現することができる。
【００２９】
図３は本考案を適用したＬＥＤ照明装置１の照度を２／６（＝１／３）に調光する場合の駆動電圧パルスを説明するための模式図である。ここで、図３に示す駆動電圧パルスはＨレベル電位とＬレベル電位の２値を採っており、Ｈレベル電位が印加されたＬＥＤチップ３は点灯し、Ｌレベル電位が印加されたＬＥＤチップ３は消灯することとなる。
【００３０】
図３中符号Ａは第１のグループＡに属するＬＥＤチップ３に印加される駆動電圧パルスを示しており、図３中符号Ｂは第２のグループＢに属するＬＥＤチップ３に印加される駆動電圧パルスを示しており、図３中符号Ｃは第３のグループＣに属するＬＥＤチップ３に印加される駆動電圧パルスを示している。また、図３中符号ＤはＬＥＤ照明装置１の合成照度を示している。
【００３１】
ここで、各駆動電圧パルスに着目すると、２／６の期間がＨレベル電位とされ、４／６の期間がＬレベル電位とされている。また、符号Ａで示す駆動電圧パルスの立ち下がりタイミングで符号Ｂで示す駆動電圧パルスが立ち上がり、符号Ｂで示す駆動電圧パルスの立ち下がりタイミングで符号Ｃで示す駆動電圧パルスが立ち上がっている。
【００３２】
図３に示す駆動パルスが印加された場合には、図３中符号Ｄで示す様に、常に合成照度３３％が実現する。
【００３３】
本考案を適用したＬＥＤ照明装置１では、照度（合成照度）を２／６に調光する場合において、従来の方式（全てのＬＥＤチップを一律にオンの状態とオフの状態を切り替える方式）と比較すると、全てのＬＥＤチップがオフとなる期間が存在しないために、チラツキの低減を実現することができる。
【００３４】
図４は本考案を適用したＬＥＤ照明装置１の照度を３／６（＝１／２）に調光する場合の駆動電圧パルスを説明するための模式図である。ここで、図４に示す駆動電圧パルスはＨレベル電位とＬレベル電位の２値を採っており、Ｈレベル電位が印加されたＬＥＤチップ３は点灯し、Ｌレベル電位が印加されたＬＥＤチップ３は消灯することとなる。
【００３５】
図４中符号Ａは第１のグループＡに属するＬＥＤチップ３に印加される駆動電圧パルスを示しており、図４中符号Ｂは第２のグループＢに属するＬＥＤチップ３に印加される駆動電圧パルスを示しており、図４中符号Ｃは第３のグループＣに属するＬＥＤチップ３に印加される駆動電圧パルスを示している。また、図４中符号ＤはＬＥＤ照明装置１の合成照度を示している。
【００３６】
ここで、各駆動電圧パルスに着目すると、３／６の期間がＨレベル電位とされ、３／６の期間がＬレベル電位とされている。また、符号Ａで示す駆動電圧パルスの立ち上がりタイミングから１．５／６サイクル経過後に符号Ｂで示す駆動電圧パルスが立ち上がり、符号Ａで示す駆動電圧パルスの立ち下がりタイミングで符号Ｃで示す駆動電圧パルスが立ち上がっている。
【００３７】
図４に示す駆動電圧パルスが印加された場合には、図４中符号Ｄで示す様に、１／２の期間の合成照度が６６％であり、１／２の期間の合成照度が３３％である。そのため、総合的には５０％の合成照度を得ることができる。
【００３８】
本考案を適用したＬＥＤ照明装置１では、照度（合成照度）を３／６に調光する場合において、従来の方式（全てのＬＥＤチップを一律にオンの状態とオフの状態を切り替える方式）と比較すると、全てのＬＥＤチップがオフとなる期間が存在しないために、チラツキの低減を実現することができる。
【００３９】
図５は本考案を適用したＬＥＤ照明装置１の照度を４／６（＝２／３）に調光する場合の駆動電圧パルスを説明するための模式図である。ここで、図５に示す駆動電圧パルスはＨレベル電位とＬレベル電位の２値を採っており、Ｈレベル電位が印加されたＬＥＤチップ３は点灯し、Ｌレベル電位が印加されたＬＥＤチップ３は消灯することとなる。
【００４０】
図５中符号Ａは第１のグループＡに属するＬＥＤチップ３に印加される駆動電圧パルスを示しており、図５中符号Ｂは第２のグループＢに属するＬＥＤチップ３に印加される駆動電圧パルスを示しており、図５中符号Ｃは第３のグループＣに属するＬＥＤチップ３に印加される駆動電圧パルスを示している。また、図５中符号ＤはＬＥＤ照明装置１の合成照度を示している。
【００４１】
ここで、各駆動電圧パルスに着目すると、４／６の期間がＨレベル電位とされ、２／６の期間がＬレベル電位とされている。また、符号Ａで示す駆動電圧パルスの立ち上がりタイミングから２／６サイクル経過後に符号Ｂで示す駆動電圧パルスが立ち上がり、符号Ａで示す駆動電圧パルスの立ち下がりタイミングで符号Ｃで示す駆動電圧パルスが立ち上がっている。
【００４２】
図５に示す駆動電圧パルスが印加された場合には、図５中符号Ｄで示す様に、常に合成照度６６％が実現する。
【００４３】
本考案を適用したＬＥＤ照明装置１では、照度（合成照度）を４／６に調光する場合において、従来の方式（全てのＬＥＤチップを一律にオンの状態とオフの状態を切り替える方式）と比較すると、全てのＬＥＤチップがオフとなる期間が存在しないために、チラツキの低減を実現することができる。
【００４４】
図６は本考案を適用したＬＥＤ照明装置１の照度を５／６に調光する場合の駆動電圧パルスを説明するための模式図である。ここで、図６に示す駆動電圧パルスはＨレベル電位とＬレベル電位の２値を採っており、Ｈレベル電位が印加されたＬＥＤチップ３は点灯し、Ｌレベル電位が印加されたＬＥＤチップ３は消灯することとなる。
【００４５】
図６中符号Ａは第１のグループＡに属するＬＥＤチップ３に印加される駆動電圧パルスを示しており、図６中符号Ｂは第２のグループＢに属するＬＥＤチップ３に印加される駆動電圧パルスを示しており、図６中符号Ｃは第３のグループＣに属するＬＥＤチップ３に印加される駆動電圧パルスを示している。また、図６中符号ＤはＬＥＤ照明装置１の合成照度を示している。
【００４６】
ここで、各駆動電圧パルスに着目すると、５／６の期間がＨレベル電位とされ、１／６の期間がＬレベル電位とされている。また、符号Ａで示す駆動電圧パルスの立ち上がりタイミングから１／６サイクル経過後に符号Ｂで示す駆動電圧パルスが立ち下がり、符号Ｂで示す駆動電圧パルスの立ち上がりタイミングから１／６サイクル経過後に符号Ｃで示す駆動電圧パルス立ち下がっている。
【００４７】
図６に示す駆動電圧パルスが印加された場合には、図６中符号Ｄで示す様に、１／２の期間の合成照度が１００％であり、１／２の期間の合成照度が６６％である。そのため、総合的には８３．３％の合成照度を得ることができる。
【００４８】
本考案を適用したＬＥＤ照明装置１では、照度（合成照度）を５／６に調光する場合において、従来の方式（全てのＬＥＤチップを一律にオンの状態とオフの状態を切り替える方式）と比較すると、全てのＬＥＤチップがオフとなる期間が存在しないために、チラツキの低減を実現することができる。
【００４９】
［効果］
本考案を適用したＬＥＤ照明装置１では、照度の調光の際のチラツキの低減を実現することができ、使用時の不快感を無くすことができる。
【００５０】
なお、本実施の形態では、ＬＥＤチップを３つのグループに分類したことから、照度を２／６（＝１／３）以上に調光する場合には、全てのＬＥＤチップがオフとなる期間が存在しない様な制御が可能となる。このことから、ＬＥＤチップをＮ（Ｎは２以上の整数）のグループに分類した際には、１／Ｎ以上の調光において、全てのＬＥＤチップがオフとなる期間が存在しない制御が可能となり、より一層充分にチラツキを抑制することが可能となる。
【００５１】
また、本考案を適用したＬＥＤ照明装置１では、アルミニウム基板２を通じて放熱ができるために、ＬＥＤチップ３の長寿命化にも寄与し、結果として、ＬＥＤ照明装置の長寿命化が期待できる。
【符号の説明】
【００５２】
１  ＬＥＤ照明装置
２  アルミニウム基板
３  ＬＥＤチップ
４  制御部
【図２】
0003166573.tif 000003
【図３】
0003166573.tif 000004
【図４】
0003166573.tif 000005
【図５】
0003166573.tif 000006
【図６】
0003166573.tif 000007
【図１】
0003166573.tif 000008